(57)【特許請求の範囲】
【請求項１】
配線材又は配管材を布設する配線・配管材用受具に取着され、配線材又は配管材を前記受具内へ引き込むため又は前記受具内から引き出すための配線・配管材の引込・引出用具において、前記受具内へ引き込まれ又は前記受具内から引き出される配線材又は配管材と前記受具の側壁とが非接触となるように支持する支持部材を備えており、
その支持部材には、ネジ材が螺入可能に形成されるとともに、前記支持部材により支持される配線材又は配管材の前記受具の長手方向に対する移動を規制するための溝部が形成されており、
前記支持部材には、配線・配管材用受具内へ引き込まれ又は前記受具内から引き出される配線材又は配管材を載置する支持面が形成されており、
前記支持部材は、前記配線・配管材用受具の短手方向における端部が曲面状に形成された曲面部を備えていることを特徴とする配線・配管材の引込・引出用具。
【請求項２】
溝部は、配線・配管材用受具の長手方向に沿って連続して形成されていることを特徴とする請求項１記載の配線・配管材の引込・引出用具。
【請求項３】
支持部材には、受具の厚み方向に突出した突出部と、その突出部に穿設されるとともに、前記支持部材により支持される配線材又は配管材の前記受具の長手方向に対する移動を規制するための貫通孔とが形成されていることを特徴とする請求項１又は２に記載の配線・配管材の引込・引出用具。
【請求項４】
貫通孔には、受具内へ引き込まれ又は受具内から引き出される配線材又は配管材を収容する管材の管継ぎ手が接続可能とされていることを特徴とする請求項３記載の配線・配管材の引込・引出用具。
【請求項５】
支持部材は、受具の厚み方向に突出した突出部を備えていることを特徴とする請求項１又は２に記載の配線・配管材の引込・引出用具。
【請求項６】
支持部材は、突出部の上端部であって、受具の一方の側壁から他方の側壁に向かって延設する桁部を備えていることを特徴とする請求項３、４又は５に記載の配線・配管材の引込・引出用具。
【発明の詳細な説明】
【０００１】
【発明の属する技術分野】
本発明は、配線材または配管材を布設する配線・配管材用受具に取着され、配線材または配管材を前記受具内へ引き込むため、又は前記受具内から引き出すための配線・配管材の引込・引出用具に関するものである。
【０００２】
【従来の技術】
工場などにおいては、通常、多数の配線材および配管材が必要である。これら配線材および配管材を無秩序に布設すると、布設後の作業性が悪化してしまうし、更には、美観をも損ねてしまう。このため、配線材および配管材を布設する場合、配線・配管材用受具（以下、単に「受具」と称する。）を用いることが多い。通常、この受具は工場等の高所に設置され、この高所に設置された受具の内部に配線材および配管材を布設するのである。このように布設することにより、工場の全体に配線材および配管材が行き渡るように布設した場合にも、作業性が悪化してしまうことを防止しつつ、美観が損なわれてしまうことをも防止することができるのである。
【０００３】
ところで、かかる受具の途中部分から受具内へ配線材または配管材を引き込む場合、又は、かかる受具の途中部分から受具外へ配線材又は配管材を引き出す場合がある。この場合、種々の方式又は方法が用いられていた。
【０００４】
ここで、従来技術の一例について、説明する。図１０は、２つの受具を垂直に結合した状態を示した図である。
【０００５】
図１０に示すように、一の受具１０１及び別の受具１０２は、第１掛止部材１０３と、第２掛止部材１０４と、結合部材１０５とによって互いに結合されている。詳細に説明すれば、第１掛止部材１０３及び第２掛止部材１０４が夫々一の受具１０１の側壁１０１に掛止され、その掛止された第１掛止部材１０３と第２掛止部材１０４との間に別の受具１０２が挟持された状態で、かかる第１掛止部材１０３と第２掛止部材１０４とが結合部材１０５により結合される。この結合部材１０５による第１掛止部材１０３と第２掛止部材１０４との結合に伴い、一の受具１０１及び別の受具１０２も結合されるのである。
【０００６】
そして、一の受具１０１の途中部分から一の受具１０１内へ引き込まれ、又は一の受具１０１の途中部分から一の１０１外へ引き出される配線材は、別の受具１０２上に沿って所定の場所へ配設されるのである。なお、配管材の場合も同様であるので、その説明は省略する。
【０００７】
【発明が解決しようとする課題】
しかしながら、かかる従来技術においては、一の受具１０１内へ引き込まれ又は一の受具１０１内から引き出される配線材が、一の受具１０１の側壁１０１ａを直接乗り越えるように布設されていた。このため、かかる布設作業に起因して、又は布設後に定常的に加わる振動に起因して、かかる配線材２００と一の受具１０１の側壁１０１ａとが擦れ合った場合、配線材２００の被覆部又は配管材の外壁部が損傷してしまうという問題点があった。ひいては、かかる損傷に起因する漏電等が発生してしまうという問題点があった。これらの問題点は、受具１００の側壁１０１を製造するに際し、通常、配線材２００が側壁１０１を乗り越えることを考慮しないことに起因している。
【０００８】
また、かかる配線材２００が受具１０１の側壁１０１ａを直接乗り越えるように布設されると、その乗り越える際に、配線材２００の折り曲げ角が急角度となってしまうという問題点があった。ひいては、配線材２００に大きな応力が加わって、配線材２００の断線の原因となってしまうという問題点があった。
【０００９】
そこで、案出されたのが本発明であって、受具内へ引き込まれ又は受具内から引き出される配線材又は配管材が損傷してしまうことを防止することができる配線・配管材の引込・引出用具を提供することを目的としている。
【００１０】
【課題を解決するための手段】
（請求項１）
この目的を達成するために、請求項１記載の配線・配管材の引込・引出用具は、配線材又は配管材を布設する配線・配管材用受具（本明細書中等においては、便宜上、単に、受具と称する）に取着され、配線材又は配管材を前記受具内へ引き込むため又は前記受具内から引き出すための配線・配管材の引込・引出用具において、前記受具内へ引き込まれ又は前記受具内から引き出される配線材又は配管材と前記受具の側壁とが非接触となるように支持する支持部材を備えており、その支持部材には、ネジ材が螺入可能に形成されるとともに、前記支持部材により支持される配線材又は配管材の前記受具の長手方向に対する移動を規制するための溝部が形成されており、前記支持部材には、配線・配管材用受具内へ引き込まれ又は前記受具内から引き出される配線材又は配管材を載置する支持面が形成されていることを特徴としている。また、請求項１記載の配線・配管材の引込・引出用具は、支持部材は、配線・配管材用受具の短手方向における端部が曲面状に形成された曲面部を備えていることを特徴としている。
【００１１】
（請求項２）
請求項２記載の配線・配管材の引込・引出用具は、請求項１記載の配線・配管材の引込・引出用具において、溝部は、配線・配管材用受具の長手方向に沿って連続して形成されていることを特徴としている。
【００１２】
（請求項３）
請求項３記載の配線・配管材の引込・引出用具は、請求項１又は２に記載の配線・配管材の引込・引出用具において、支持部材には、受具の厚み方向に突出した突出部と、その突出部に穿設されるとともに、前記支持部材により支持される配線材又は配管材の前記受具の長手方向に対する移動を規制するための貫通孔とが形成されていることを特徴としている。
【００１３】
（請求項４）
請求項４記載の配線・配管材の引込・引出用具は、請求項３記載の配線・配管材の引込・引出用具において、貫通孔には、受具内へ引き込まれ又は受具内から引き出される配線材又は配管材を収容する管材の管継ぎ手が接続可能とされていることを特徴としている。
【００１４】
（請求項５）
請求項５記載の配線・配管材の引込・引出用具は、請求項１又は２に記載の配線・配管材の引込・引出用具において、支持部材は、受具の厚み方向に突出した突出部を備えていることを特徴としている。
【００１５】
（請求項６）
請求項６記載の配線・配管材の引込・引出用具は、請求項３、４又５に記載の配線・配管材の引込・引出用具において、支持部材は、突出部の上端部であって、受具の一方の側壁から他方の側壁に向かって延設する桁部を備えていることを特徴としている。
【００１６】
本発明の配線・配管材の引込・引出用具によれば、支持部材により、配線・配管材用受具（以下、単に「受具」と称する。）内へ引き込まれ又は受具内から引き出される配線材又は配管材と受具の側壁とが非接触となるように支持される。ここで、従来においては、受具内へ引き込まれ又は受具内から引き出される配線材又は配管材は、受具の側壁を直接乗り越えるようにして布設されていた。このように布設された場合、かかる配線材又は配管材と受具の側壁とが擦れ合ったときに、配線材又は配管材が損傷しやすいという問題点があった。この問題点は、受具の側壁を製造するに際し、通常、配線材又は配管材が側壁を直接乗り越えることを考慮しないことに起因している。しかしながら、前記した通り、支持部材により、受具内へ引き込まれ又は受具内から引き出される配線材又は配管材と受具の側壁とが非接触となるように支持されるので、配線材又は配管材が損傷してしまうことが防止される。
また、規制部を利用して、支持部材により支持される配線材又は配管材の受具の長手方向に対する移動が規制される。このため、配線材又は配管材が支持部材から落下してしまうことが防止される。
更に、支持部材に形成された支持面により、受具内へ引き込まれ又は受具内から引き出される配線材又は配管材が載置される。このため、かかる配線材又は配管材と本引込・引出用具（支持部材）との接触部に局部的な力が加わってしまうことが防止される。
【００１７】
【発明の実施の形態】
以下、本発明の好ましい実施例について、添付図面を参照して説明する。本発明は、配線材又は配管材を布設する配線・配管材用受具（以下、単に「受具」という。以下、同じ。）に取着され、配線材又は配管材を前記受具の途中部分から其の受具内へ引き込んだり、或いは、受具の途中部分から受具外へ引き出したりするための配線・配管材の引込・引出用具に関するものである。
【００１８】
図１は、本発明の一実施例である配線・配管材の引込・引出用具（以下、単に「引込・引出用具」と称する。以下、同じ。）１の外観斜視図であり、図２は、引込・引出用具１が受具５０に取着された状態を示した図である。
【００１９】
図１に示すように、引込・引出用具１は、主として、支持部材２と、取付部材３とを備えている。支持部材２は、受具５０（図２参照）内へ引き込まれ又は受具５０内から引き出される配線材又は配管材と受具５０の側壁５１とが非接触となるように支持するものであり、支持部材２の一部は、受具５０の上方であって、且つ本引込・引出用具１の取着される一方の側壁５１から他方の側壁５１側に向かって延びて設けられている。この支持部材２には、桁部２ａと、突出部２ｂと、溝部２ｃと、貫通孔２ｄと、折損部材２ｅとが設けられている。
【００２０】
桁部２ａは、受具５０の両側壁５１，５１間に配設される部分である。具体的には、突出部２ｂの上端部であって、その突出部２ｂに対し、本引込・引出用具１が取着される一方の側壁５１側から他方の側壁５１側へ向かって立設されている。受具５０内へ引き込まれる配線材若しくは配管材、又は受具５０内から引き出される配線材若しくは配管材は、この桁部２ａを上方を介して、引き込まれ又は引き出されるのである。従って、受具５０内から引き出される配線材又は配管材の受具の側壁の内側との間に所定の間隙（空間）を形成することができるのである。
【００２１】
突出部２ｂは、受具１の厚み方向に突出した部分であり、受具１の側壁５１のシュータ５２が形成されている位置よりも、上方に突出する位置に形成されている。受具５０内へ引き込まれる配線材若しくは配管材、又は受具５０内から引き出される配線材若しくは配管材は、この桁部２ａを上方を介して、引き込まれ又は引き出されるのである。従って、受具５０内から引き出される配線材又は配管材の受具の側壁の内側との間に所定の間隙（空間）を形成することができるのである。
【００２２】
ここで、図２に示すように、本引込・引出用具１が取着される受具５０には、シュータ５２が設けられている。このシュータ５２は、受具５０内へ配線材Ａ又は配管材を布設する作業を簡単とするためのものであり、このシュータ５２の形状は、中空筒状とされている。また、このシュータ５２は、側壁５１の内側上方部であって、側壁５１の長手方向に沿って連続して形成されている。また、このシュータ５２には、スリット５３が形成されている。スリット５３は、シュータ５２の長手方向に沿って連続して形成された溝部であり、シャトル６１と配線材Ａ又は配管材とを連結するものである。シャトル６１の引き込みロープ取付板６１ｂは、かかるスリット５３を介して、シュータ５２外へ突出されるのである。なお、このようなシュータ５２の発明が記載された公報としては、例えば、特開平１１−１７８１４０号公報が挙げられる。
【００２３】
更に、図３及び図４を参照して、シュータ５２を利用して、受具５０内に配線材Ａを布設する作業について説明する。図３及び図４は、シュータ５２を利用して、受具５０内に配線材Ａを布設する作業について示した図である。
【００２４】
具体的に説明すると、まず、受具５０に設けられているシュータ５２の一端５２ａに、シャトル６１を挿入する。シャトル６１は、シュータ５２と同様に受具５０内に配線材又は配管材を布設する作業を簡単とするものであり、第１ロープ材６１ａと、引き込みロープ取付板６１ｂとを備えている。シャトル６１の挿入後、シャトル６１をシュータ５２の他端側５２ｂに（即ち、矢印Ｂ側に）向かって移動させる。このシャトル６１の移動に伴い、引き込みロープ取付板６１ｂもスリット５３に沿ってシュータ５２の他端側５２ｂに向かって移動される。シャトル６１の移動後、引き込みロープ取付板６１ｂに、第２ロープ材７１の一端７１ａを取り付ける。第２ロープ材７１の他端７１ｂには配線材Ａが取着されており、第２ロープ材７１の取付後、シャトル６１をシュータ５２の他端側５２ｂから一端側５２ａへ（即ち、矢印Ｃ側へ）移動させることによって、引き込みロープ取付板６１ｂに取り付けられた配線材Ａもシュータ５２の他端側５２ｂから一端側５２ａへ移動される。即ち、配線材Ａが受具５０内に布設されるのである。なお、シュータ５２を利用した配管材の布設作業については、配線材Ａの布設作業と同様であるので、その説明を省略する。
【００２５】
ここで、かかるシュータ５２を利用した配線材Ａ又は配管材の布設作業が、既に配線材又は配管材が引き込まれ又は引き出されている受具５０に対し、新たな配線材又は配管材を受具５０内に布設する場合がある。この場合、受具５０内へ引き込まれ又は受具５０内から引き出される配線材又は配管材が受具５０の側壁５１を直接乗り越える様に布設されていると、その既に布設されている配線材または配管材と受具５０の側壁５１の内側との間に、新たな配線材Ａ又は配管材を通す作業が繁雑となってしまうという問題点があった。または、新たな配線材Ａ又は配管材を通すこと自体が困難又は不可能となってしまうという問題点があった。
【００２６】
しかしながら、前記したように、図２に示す突出部２ｂは、シュータ５２が形成されている位置よりも、上方に突出して形成されており、更に、突出部２ｂの上端部には、その突出部２ｂに対し、本引込・引出用具１に取着される一方の側壁５１側から他方の側壁５１側に向かって桁部２ａが立設（立った状態に設けること。以下、同じ。）されている。従って、受具５０内へ引き込まれ又は受具５０内から引き出される配線材又は配管材と受具５０の側壁５１との間に所定の間隙（空間）を形成することができる。即ち、シュータ５２の長手方向に沿って連続して形成されたスリット５３を塞いでしまうことを防止することができるのである。ひいては、配線材又は配管材を受具５０内へ引き込んだ後又は受具５０内から引き出した後、新たな配線材Ａ又は配管材を受具５０に布設する場合にも、その新たな配線材Ａ又は配管材の布設作業が困難となってしまうことを防止することができるのである。
【００２７】
支持面２ａ１は、受具５０内へ引き込まれ又は受具５０内から引き出される配線材又は配管材を載置する面である。このため、配線材又は配管材を、線でなく、面で受けることができるのである。即ち、かかる配線材又は配管材に局部的な力が加わってしまうことを防止することができるのである。ひいては、かかる配線材または配管材を安定した状態で支持することができるとともに、配線材が断線してしまうこと、及び配管材が挫屈してしまうことを防止することができるのである。
【００２８】
「従来の技術」及び「発明が解決しようとする課題」の欄で説明した受具１０１と同様に、受具５０内へ引き込まれ又は受具５０内から引き出される配線材又は配管材が受具５０の側壁５１を直接乗り越えるようにして布設された場合、かかる布設作業に起因して、又は布設後に定常的に加わる振動に起因して、かかる配線材又は配管材と受具５０の側壁５１とが擦れ合った時に、その側壁５１により、配線材の被覆部又は配管材の外壁部が損傷してしまうという問題点があった。ひいては、かかる配線材又は配管材の損傷に起因する漏電等が発生してしまうという問題点があった。この問題点は、受具５０の側壁５１を製造するに際し、通常、配線材又は配管材が側壁５１を直接乗り越えることを考慮していないことに起因している。
【００２９】
また、配線材又は配管材が受具１０１の側壁１０１ａを直接乗り越えるように布設されると、その乗り越える際に、配線材又は配管材の折り曲げ角が急角度（鋭角）となってしまうという問題点があった。ひいては、配線材に大きな応力が加わって、配線材の断線の原因となってしまうという問題点もあった。
【００３０】
しかしながら、前記したように、本引込・引出用具１によれば、受具５０内へ引き込まれ又は受具５０内から引き出される配線材又は配管材は、桁部２ａに形成された支持面２ａ１により、受具５０内へ引き込まれ又は受具５０内から引き出される配線材若しくは配管材が支持される。従って、配線材の被覆部又は配管材の外壁部が損傷してしまうことを防止することができるとともに、その損傷に起因する漏電等が発生してしまうことを防止することができるのである。
【００３１】
一方、受具５０内へ引き込まれ又は受具５０内から引き出される配線材又は配管材の損傷を防止するためには、受具５０の側壁５１の製造段階において、かかる損傷を防止するための加工を、側壁５１自体に施す方式又は方法がある。しかしながら、かかる側壁５１の製造段階において、配線材又は配管材の引き込み箇所又は引き出し箇所を特定することは困難であり、また、通常、施工段階において、配線材又は配管材の引き込み箇所又は引き出し箇所を変更することは多々発生するものである。このため、（１）かかる損傷を防止するための加工を側壁５１自体に行う際には、かかる加工を側壁５１の長手方向全体に対して施さなければならないという問題点があった。一方、（２）かかる加工を側壁５１の長手方向全体に行うと、側壁５１（即ち、受具５０）の製造費が嵩んでしまうという問題点があった。また、（３）かかる加工を全ての側壁５１の長手方向全体に対して施したとしても、受具５０の設置場所の状況の如何によっては、必ずしも、配線材又は配管材の引き込み作業又は引き出し作業が行われるか否かは分からないという問題点があった。
【００３２】
しかしながら、本発明によれば、配線材又は配管材の引き込み箇所又は引き出し箇所に本引込・引出用具１を取着することにより、受具５０の側壁５１自体に加工を施すことなく、かかる配線材又は配管材の損傷を防止することができるのである。ひいては、上記（１）から（３）の問題点を解決することができるのである。
【００３３】
かかる桁部２ａには、受具５０の短手方向（両側壁５１間を結ぶ方向）の両端部に、曲面状に形成された曲面部２ａ２が設けられている。従って、配線材又は配管材と桁部２ａとが擦れ合った場合においても、桁部２ａの端部において、配線材又は配管材が損傷してしまうことを防止することができるのである。特に、配線材の損傷を防止することにより、即ち、配線材の被覆部の損傷を防止することにより、通電部の露出に伴う漏電等が発生してしまうことを防止することができるのである。当然、かかる曲面部２ａ２は、桁部２ａの両端部に形成されるものに限られるものではなく、桁部２ａの一端部のみに形成されるようにしても良い。
【００３４】
次に、図５は、本引込・引出用具１に配線材Ａを固定する状態を示した図であり、図６は、本引込・引出用具１の長手方向（受具５０の長手方向）に対する配線材Ａの移動を規制した状態を示した図である。
【００３５】
溝部２ｃは、本引込・引出用具１に配線材Ａ又は配管材を固定したり、又は本引込・引出用具１の長手方向に対する配線材Ａの移動を規制するための溝である。かかる溝部２ｃは、桁部２ａと突出部２ｂとに一つずつ設けられており、各溝部２ｃは、支持部材２の長手方向に沿って連続して形成されている。
【００３６】
図５に示すように、溝部２ｃには、略ひの字状に形成された固定具８１を貫通したネジ材８２が螺入される。従って、例えば振動などが発生した場合にも、配線材Ａと配管材と支持部材２とが擦れ合ってしまうこと自体を防止することができるのである。
【００３７】
一方、図６に示すように、溝部２ｃには、配線材Ａを挟むようにして、ネジ材８３，８３が螺入されるのである。従って、本引込・引出用具１の長手方向に対する配線材Ａの移動を規制することができるのである。
【００３８】
貫通孔２ｄは、受具５０内へ引き込まれ又は受具５０内から引き出される配線材又は配管材が貫通するものであり、突出部２ｂに穿設（孔を空けること。以下、同じ。）されている。従って、受具５０内へ引き込まれ又は受具５０内から引き出される配線材又は配管材が受具５０の側壁５１と接触してしまうことを防止することができる。また、図５に示すように、かかる貫通孔２ｄの端部は、曲面状に加工されている。従って、受具５０内へ引き込まれ又は受具５０内から引き出される配線材又は配管材が損傷してしまうことを防止することができるのである。ひいては、かかる損傷に起因する漏電等が発生してしまうことを防止することができるのである。
【００３９】
また、貫通孔２ｄは、受具５０内に引き込まれ又は受具５０内から引き出される配線材又は配管材を収容する管材が接続可能に形成されている。従って、受具５０内に引き込まれる前の配線材若しくは配管材、又は受具５０外へ引き出された後の配線材又は配管材を、保護することができるのである。
【００４０】
図７は、貫通孔２ｄに配管材９１，９２を接続する前の状態を示した図であり、図８は、貫通孔２ｄに配管材９１，９２を接続した後の状態を示した図である。貫通孔２ｄには、折損部材２ｅが取着されている。折損部材２ｅは、貫通孔２ｄに直径の異なる管継ぎ手９１ａ，９２ａを接続可能とするためのものであり、その一部（本実施例においては、両端部）のみにおいて、貫通孔２ｄに繋がっている。このため、かかる折損部材２ｅに外力が加わった場合には、折損部材２ｅは、折損し、貫通孔２ｄから分離される。従って、一の管継ぎ手９１ａと他の管継ぎ手９２ａの直径が異なる場合にも、容易に接続することができるのである。ひいては、状況（例えば、受具５０内へ引き込まれ又は受具５０内から引き出される配管材の数（量））に応じて、直径の大きな配管材９１、又は直径の小さな配管材９２の何れの配管材も接続することができるのである。
【００４１】
図９は、本引込・引出用具１を受具５０に取着した状態における断面図である。取付部材３は、受具５０の側壁５１の長手方向の所望の位置に、支持部材２を取り付けるためのものである。この取付部材３は、掛止部材３ａと、第１固定孔３ｂと、第２固定孔３ｃとを備えている。掛止部材３ａは、受具５０の側壁５１に形成されている掛止部５３と掛止するものである。第１固定孔３ｂは、支持部材２を取付部材３に取り付けるための孔である。一方、第２固定孔３ｃは、取付部材３を受具５０の側壁５１に取り付けるための孔であり、ネジ溝が形成されている。そして、この第２固定孔３ｃに螺入されたネジ材は、受具５０の側壁５１を押圧するのである。ここで、前記した側壁５１の掛止部５３は、側壁５１の長手方向に沿って連続して形成されている。従って、受具５０内への配線材又は配管材の引き込み又は受具５０外への配線材又は配管材の引き出しを所望の箇所において行うことができるのである。
【００４２】
次に、上記のように構成された引込・引出用具１の動作について説明する。具体的には、引込・引出用具１の取着された受具５０内から配線材を引き出す動作について説明する。
【００４３】
まず、受具５０の所定の場所から、配線材を引き出す。配線材を引き出す際、その引き出した配線材を、支持部材２の上方を通過させ、支持部材２を構成する支持面２ａ１上に載置させるのである。
【００４４】
このように、支持部材２により、受具５０内から引き出された配線材が支持されるので、かかる配線材と受具５０の側壁５１とが非接触となるように支持することができるのである。なお、受具５０内から配管材を引き出す場合、及び受具５０内へ配線材又は配管材を引き込む場合も、受具５０内から配線材を引き出す場合と同様であるので、その説明を省略する。
【００４５】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４６】
なお、「特許請求の範囲」に記載された発明の解釈について疑義が生ずることを防止するために、「特許請求の範囲」に記載されている語句のうちから選択した語句について、補足して説明する。
【００４７】
特許請求の範囲に記載の「配線・配管材の引込・引出用具」とは、当然に、少なくとも配線材又は配管材の何れか一方を、引き込んだり、引き出したり、又は、引き込み及び引き出しをするための用具の意味である。
【００４８】
【発明の効果】
請求項１及び４に記載の配線・配管材の引込・引出用具、並びに請求項１又は４の少なくとも何れかを引用する他の請求項に記載の配線・配管材の引込・引出用具によれば、配線材又は配管材が損傷してしまうことを防止することができるとともに、その損傷に起因する漏電が発生してしまうことを防止することができるという効果がある。また、配線材又は配管材が支持部材から落下してしまうことを防止することができるという効果もある。
【００４９】
また、請求項１記載の配線・配管材の引込・引出用具、及び請求項１を引用する他の請求項に記載の配線・配管材の引込・引出用具によれば、配線材又は配管材と本引込・引出用具（支持部材）との接触部に局部的な力が加わってしまうことを防止することができるという効果もある。ひいては、配管材の被覆部又は配管材が損傷してしまうことを防止することができるとともに、その損傷に起因する漏電が発生してしまうことを防止することができるという効果がある。
【００５０】
さらに、請求項１記載の配線・配管材の引込・引出用具、及び請求項３を引用する他の請求項に記載の配線・配管材の引込・引出用具によれば、配線材又は配管材と支持部材（本引込・引出用具）とが擦れ合った場合においても、支持部材の端部において、配線材の被覆部又は配管材が損傷してしまうことを防止することができるという効果がある。
【００５１】
請求項２記載の配線・配管材の引込・引出用具、及び請求項２を引用する他の請求項に記載の配線・配管材の引込・引出用具によれば、溝部が配線・配管材用受具の長手方向に沿って連続して形成されているので、ネジ材を所望の位置に螺入することができるという効果がある。ひいては、規制部又は固定部を、かかる受具の長手方向に対する所望の位置に設けることができるという効果がある。
【００５２】
請求項３及び５記載の配線・配管材の引込・引出用具、及び請求項３又は５の少なくとも何れかを引用する他の請求項に記載の配線・配管材の引込・引出用具によれば、支持部材が配線・配管材用受具の高さ方向に突出した突出部を備えているので、かかる受具内へ引き込まれ又は受具内から引き出される配線材または配管材と受具の側壁の内側との間に所定の間隙（空間）を形成することができるという効果がある。
【００５３】
請求項６記載の配線・配管材の引込・引出用具によれば、受具内へ引き込まれ又は受具内から引き出される配線材または配管材と受具の側壁の内側との間に所定の間隙（空間）を形成することができるという効果がある。
【００５４】
【図面の簡単な説明】
【図１】本発明の一実施例である配線・配管材の引込・引出用具の外観斜視図である。
【図２】上記引込・引出用具が受具に取着された状態を示した図である。
【図３】シュータを利用して、受具内に配線材を布設する作業について示した図である。
【図４】シュータを利用して、受具内に配線材を布設する作業について示した図である。
【図５】本引込・引出用具に配線材を固定する状態を示した図である。
【図６】本引込・引出用具の長手方向に対する配線材の移動を規制した状態を示した図である。
【図７】貫通孔に配管材を接続する前の状態を示した図である。
【図８】貫通孔に配管材を接続した後の状態を示した図である。
【図９】本引込・引出用具を受具に取着した状態における断面図である。
【図１０】従来技術の一例である、二つの受具を垂直に結合した状態を示した図である。
【符号の説明】
１ 配線・配管材の引込・引出用具
２ 支持部材
２ａ 桁部
２ａ１ 支持面
２ａ２ 曲面部
２ｂ 突出部
２ｃ 溝部（規制部の一部）
２ｄ 貫通孔（規制部の一部）
２ｅ 折損部材
３ 取付部材
５０ 配線・配管材用受具
５１ 側壁
５３ シュータ
８１ ネジ材（規制部材および固定部材の一部）
８２ 固定具（規制部材および固定部材の一部）
【図１】
0003624257.tif 000002
【図２】
0003624257.tif 000003
【図３】
0003624257.tif 000004
【図４】
0003624257.tif 000005
【図５】
0003624257.tif 000006
【図６】
0003624257.tif 000007
【図７】
0003624257.tif 000008
【図８】
0003624257.tif 000009
【図９】
0003624257.tif 000010
【図１０】
0003624257.tif 000011